(57)【要約】【課題】  躯体方立へのパネル支持材の取付けが容易で、施工性の良い簡易構造物の提供。【解決手段】  躯体方立１，１と、躯体方立１，１の上端部に設けた躯体方立端部キャップ２と、躯体方立１，１の屋外側面に設けたパネル支持材５とを備え、躯体方立端部キャップ２は、パネル支持材５の上端の小口を覆う覆い部６を有する。【選択図】      図１
2019173526.tif 000002
【特許請求の範囲】
【請求項１】
躯体方立と、躯体方立の上端部に設けた躯体方立端部キャップと、躯体方立の屋外側面に設けたパネル支持材とを備え、躯体方立端部キャップは、パネル支持材の上端の小口を覆う覆い部を有することを特徴とする簡易構造物。
【発明の詳細な説明】
【技術分野】
【０００１】
本発明は、テラス囲い、サンルーム等の簡易構造物に関する。
【背景技術】
【０００２】
テラス囲いやサンルーム等の簡易構造物は、建物の外壁に一対の躯体方立を取付け、躯体方立の上端の小口に下面を当接させて垂木掛けを取付けている。さらに、躯体方立の屋外側面にパネル支持材を取付け、パネル支持材に支持して屋根側面パネルを取付けている例えば、非特許文献１参照。）。
パネル支持材は、垂木掛けに妻垂木を取付け、躯体方立に腕木を取付けた後に、妻垂木と腕木の間の躯体方立の屋外側面に取付けられるが、パネル支持材は妻垂木の下面と腕木の上面との間にぴったり嵌まる長さになっており、しかも下向きに傾斜した妻垂木の下面に突き当てるために上端を斜めに切断してあるため、躯体方立に対して側方からあてがわねばならず、その際にパネル支持材の上端で妻垂木の下面をこじったりすることがあり、取付けがしにくかった。
【先行技術文献】
【非特許文献】
【０００３】
【非特許文献１】三協立山株式会社  三協アルミ社発行の施工要領書「晴れもよう３  土間仕様  施工要領書」（Ｎｏ．ＨＺ０２０２Ｒ、２０１６年１２月、ｐ．６７，１１２
【発明の概要】
【発明が解決しようとする課題】
【０００４】
本発明は以上に述べた実情に鑑み、躯体方立へのパネル支持材の取付けが容易で、施工性の良い簡易構造物の提供を目的とする。
【課題を解決するための手段】
【０００５】
上記の課題を達成するために請求項１記載の発明による簡易構造物は、躯体方立と、躯体方立の上端部に設けた躯体方立端部キャップと、躯体方立の屋外側面に設けたパネル支持材とを備え、躯体方立端部キャップは、パネル支持材の上端の小口を覆う覆い部を有することを特徴とする。
【発明の効果】
【０００６】
請求項１記載の発明による簡易構造物は、躯体方立の上端部に躯体方立端部キャップが設けてあり、躯体方立端部キャップは、パネル支持材の上端の小口を覆う覆い部を有することで、パネル支持材を躯体方立に対して屋外側からあてがうことが可能になるため、躯体方立へのパネル支持材の取付けが容易で、施工性が良い。
【図面の簡単な説明】
【０００７】
【図１】垂木掛けと躯体方立との交差部を拡大して示す縦断面図である。
【図２】図３のＡ−Ａ断面図である。
【図３】（ａ）は本発明に係る簡易構造物の一実施形態を示す正面図であり、（ｂ）は同簡易構造物の側面図である。
【図４】同簡易構造物の躯体側の端部を拡大して示す平面図である。
【図５】垂木掛けと躯体方立との交差部の正面図である。
【図６】垂木掛けと躯体方立との交差部の分解斜視図である。
【図７】（ａ）は躯体方立端部キャップの平面図、（ｂ）は同正面図、（ｃ）は同側面図である。
【図８−１】垂木掛けと躯体方立との交差部の施工手順を示す斜視図である。
【図８−２】垂木掛けと躯体方立との交差部の施工手順（図８−１の続き）を示す斜視図である。
【図９】屋根側面パネルの取付手順を示す図である。
【図１０】躯体方立端部キャップの他の実施形態を示す斜視図である。
【図１１】（ａ）は図１０に示す躯体方立端部キャップの平面図、（ｂ）は同正面図、（ｃ）は同側面図である。
【発明を実施するための形態】
【０００８】
以下、本発明の実施の形態を図面に基づいて説明する。図１〜５は、本発明の簡易構造物の一実施形態であって、建物の外壁７に沿って設置されるテラス囲いに適用した例を示している。本簡易構造物は、図２，３に示すように、建物の外壁７に左右一対の躯体方立１，１と、躯体方立１，１上に跨って垂木掛け３が取付けられ、屋外側に左右一対の柱８，８が地面Ｇから立設され、左右の柱８，８の上端に雨樋を備えた桁９が架設してあり、躯体方立１，１と桁９の間に腕木１０，１０が取付けてある。垂木掛け３と桁９間には、左右両端に妻垂木１１，１１が取付けてあり、妻垂木１１，１１の間に垂木１２，１２，…が間隔をおいて取付けてあり、妻垂木１１と垂木１２の間、垂木１２同士の間に、樹脂製の屋根パネル１３が取付けてある。妻垂木１１と腕木１０との間の開口部には、樹脂製の屋根側面パネル１４が取付けてある。腕木１０の下の側面開口部１５と、桁９の下の前面開口部１６には、引違い戸や折戸等の建具（図示省略）が取付けてある。柱８，８間の下部には前桁１７が取付けてあり、柱８，８の下部と躯体方立１，１間には妻桁１８，１８が取付けてあり、前桁１７と妻桁１８，１８に支持して床部１９が構成してある。
【０００９】
垂木掛け３は、図１に示すように、建物の外壁７に当接してボルト２０で固定される垂直壁２１と、屋外側に向かって下向きに傾斜した上壁２２と下壁２３を有している。上壁２２の下側には屋根パネル１３を挿入するための溝部２４が形成してあり、屋根パネル１３の躯体側端部が該溝２４内にビード２５ａ，２５ｂを介して保持してある。下壁２３には、図６に示すように、左右方向に間隔をおいて孔２６が設けてあり、図５に示すように、垂木１２の躯体側部を下壁２３上に載置し、下方より前記孔２６に挿入したネジ２７で垂木１２を垂木掛け３に固定している。妻垂木１１は、その孔２６を利用することなく、平面視Ｌ形の金具２８を用いて垂木掛け３に固定してあって、孔２６は後述するように垂木掛け３の位置決めのために利用している。なお、簡易構造物を間口方向（左右方向）に連棟する場合には、垂木掛け３の長手方向端部の下壁２３の孔２６も、垂木１２をねじ止めするために用いられる。垂木掛け３の長手方向の両端部には、樹脂製の垂木掛け端部キャップ２９が取付けてある。
【００１０】
躯体方立１は、図１，６に示すように、アルミ形材よりなる矩形断面の中空部材であり、上端が水平に切断してあり、上端部に樹脂製の躯体方立端部キャップ２を取付けて小口を塞いである。躯体方立端部キャップ２は、図１，６，７に示すように、躯体方立１の中空部内に嵌合する嵌合部３０が下方に突出して設けられ、上面側には垂木掛け３の下壁２３が載置される垂木掛け載置部３１と、妻垂木１１の下面が当接する妻垂木下面当接部３２とが設けてあり、垂木掛け載置部３１と妻垂木下面当接部３２は、屋根の傾斜に沿って下向きに傾斜している。垂木掛け載置部３１には、位置決め用の突起（位置決め部）４が設けてあり、先に説明した垂木掛け３の下壁２３に形成した孔２６にこの突起４を挿入することで、垂木掛け３を簡単に位置決めすることができる。躯体方立端部キャップ２と垂木掛け３とは、図６に示すように、側縁３３ａ，３３ｂの位置を合わせてあり、これにより垂木掛け３の位置決めを一層容易にしている。
【００１１】
躯体方立１の屋外側面には、図１，５に示すように、屋根側面パネル１４を取付けるためのパネル支持材５が取付けてある。パネル支持材５は、図５，６に示すように、縦枠３４と押縁３５とで構成され、縦枠３４は躯体方立１に屋外側からネジ３６で固定され、押縁３５は縦枠３４に内側から嵌合して取付けてある。パネル支持材５は、図１，６に示すように、上端が躯体方立１と同じ高さで水平に切断してある。
【００１２】
躯体方立端部キャップ２は、図１，６，７に示すように、パネル支持材５の上端の小口を覆う覆い部６が一体に設けてあり、覆い部６が妻垂木１１の傾斜した下面とパネル支持材５の水平な上端の小口の間の隙間を埋めている。覆い部６には、パネル支持材５の外側の側面に当接するように垂下した垂下片３７を有している。覆い部６は、パネル支持材５の上端の小口が突き当てられるだけなので、躯体方立１に躯体方立端部キャップ２が取付けられた状態で、パネル支持材５を躯体方立１に取付け自在であり、その際にパネル支持材５の外側面を覆い部６の垂下片３７に突き当てることで、パネル支持材５を位置決めできる。また、垂下片３７があることで、パネル支持材５の上端のシールを省略できる。
【００１３】
次に、本簡易構造物の施工手順を説明する。まず、左右の躯体方立１，１を外壁７の所定の位置にボルト２０で取付け、躯体方立１の上端に躯体方立端部キャップ２を取付ける。なお、躯体方立端部キャップ２を予め取付けてから、躯体方立１を外壁７に取付けてもよい。
次に、図８−１（ａ）に示すように、躯体方立端部キャップ２上面の突起４を垂木掛け３の下壁２３に形成された孔２６に挿入することで、垂木掛け３を位置決めして躯体方立端部キャップ２上に載置し、垂木掛け３を外壁７にボルト２０で固定する。
次に、桁９に左右の柱８，８を取付け、柱８，８の下端部を地面Ｇに埋め込んで立設し、桁９と躯体方立１，１間に腕木１０，１０を取付ける。
次に、桁９と垂木掛け３間に妻垂木１１，１１と垂木１２，１２，…を取付け、妻垂木１１と垂木１２間と、垂木１２同士の間に、屋根パネル１３を取付ける。
次に、図８−１（ｂ）に示すように、躯体方立１の屋外側面にパネル支持材５（縦枠３４、押縁３５）を取付ける。なお、この時点では妻垂木１１や屋根パネル１３等が既に取り付いているが、図では分かりやすくするためにこれらの部材を省略してある。
次に、妻垂木１１と腕木１０との間の開口部に屋根側面パネル１４を取付ける。
次に、図８−２（ｃ）に示すように、垂木掛け３の端部に垂木掛け端部キャップ２９を取付ける。なお、この時点では屋根側面パネル１４が取り付いているが、図では分かりやすくするために省略してある。
その後、側面と前面の開口部１５，１６に建具を取付ける。
【００１４】
屋根側面パネル１４の施工手順について、より詳しく説明する。躯体方立１には、パネル支持材５（縦枠３４、押縁３５）のうちの縦枠３４が先に取付けられる。その際、図９（ａ）に示すように、躯体方立端部キャップ２に覆い部６を設けたことで、覆い部６の高さ分だけ縦枠３４の上端と妻垂木１１の下面との間に余裕ができ、躯体方立１に対して縦枠３４を屋外側からあてがうことができるため、縦枠３４の取付けがしやすい。さらに、覆い部６には垂下片３７が設けてあり、縦枠３４を垂下片３７に当接させることで縦枠３４を位置決めできるので、縦枠３４の取付けが一層容易に行える。
次に、図９（ｂ）に示すように、内側から屋根側面パネル１４を嵌め込み、図９（ｃ）に示すように、押縁３５を取付け、さらに後付けビード３８を屋根側面パネル１４の全周に連続して取付けて屋根側面パネル１４を固定する。
【００１５】
図１０，１１は、躯体方立端部キャップ２の他の実施形態を示している。本実施形態は、躯体方立端部キャップ２に垂木掛け端部キャップ２９を一体に形成したものである（垂木掛け端部キャップ２９が位置決め部に相当）。本実施形態によれば、躯体方立端部キャップ２を躯体方立１の上端部に嵌合し、垂木掛け端部キャップ２９を垂木掛け３の端部に側方から嵌合することで、躯体方立１と垂木掛け３とを位置決めすることができ、後から垂木掛け端部キャップ２９を取付ける手間を省くことができる。
【００１６】
以上に述べたように本簡易構造物は、躯体方立１，１の上端部に躯体方立端部キャップ２が設けてあり、躯体方立端部キャップ２は、垂木掛け３を位置決めするための位置決め部（突起）４を有するので、垂木掛け３の位置決めが容易であり、施工性が良い。
位置決め部４は、躯体方立端部キャップ２の上面に設けた突起４であり、その突起４が垂木掛け３の孔２６に嵌まるようにしたことで、垂木掛け３の位置決めが容易に、且つ正確に行える。
垂木掛け３の孔２６は、垂木１２を固定するために長手方向に所定間隔で設けたものを利用しているので、位置決めのために垂木掛け３に特別な加工が不要であり、合理的である。
位置決め部は、躯体方立端部キャップ２と一体に形成した垂木掛け端部キャップ２９とすることもでき、これにより躯体方立１と垂木掛け３の位置決めが容易に行え、施工性が良く、また、垂木掛け３に位置決めのために特別な加工が不要であり、部品点数を削減できる。
【００１７】
また本簡易構造物は、躯体方立１の上端部に躯体方立端部キャップ２が設けてあり、躯体方立端部キャップ２は、パネル支持材５の上端の小口を覆う覆い部６を有することで、パネル支持材５を躯体方立１に対して屋外側からあてがうことが可能になるため、躯体方立１へのパネル支持材５の取付けが容易で、施工性が良い。
躯体方立端部キャップ２は、躯体方立１に取付けた状態で、パネル支持材５を躯体方立１に取付け自在であるため、躯体方立端部キャップ２が取付けてあってもパネル支持材５の取付けが容易に行え、施工性が良い。
躯体方立１とパネル支持材５は、上端が水平に切断してあり、躯体方立端部キャップ２の上面（垂木掛け載置部３１、妻垂木下面当接部３２）が傾斜面になっているので、躯体方立１とパネル支持材５を斜めに切断する必要がなく、加工が容易であり、且つパネル支持材５を妻垂木１１と腕木１０の間に入れやすい。
さらに、躯体方立端部キャップ２はパネル支持材５の上端よりも垂下する垂下片３７を有しているため、パネル支持材５を垂下片３７に突き当てて位置決めできるので、パネル支持材５の取付けが一層容易となる。
【００１８】
本発明は以上に述べた実施形態に限定されない。躯体方立端部キャップに設けられる位置決め部は、種々の形態で設けることができ、突起状のものに限らず、孔状のものであってもよい。覆い部の形状は、パネル支持材の形状に合わせて適宜変更することができる。本発明は、テラス囲いに限らず、テラス屋根（側面と前面が囲われてないもの）、サンルーム、ガーデンルーム等、建物の外壁に沿って設置されるあらゆる簡易構造物に適用することができる。
【符号の説明】
【００１９】
１  躯体方立
２  躯体方立端部キャップ
３  垂木掛け
４  突起（位置決め部）
５  パネル支持材
６  覆い部
【図１】
2019173526.tif 000003
【図２】
2019173526.tif 000004
【図３】
2019173526.tif 000005
【図４】
2019173526.tif 000006
【図５】
2019173526.tif 000007
【図６】
2019173526.tif 000008
【図７】
2019173526.tif 000009
【図８−１】
2019173526.tif 000010
【図８−２】
2019173526.tif 000011
【図９】
2019173526.tif 000012
【図１０】
2019173526.tif 000013
【図１１】
2019173526.tif 000014